(57)【要約】【課題】止水空隙での確実な止水効果を得ることができる浴室床パンの防水シール構造を提供する。【解決手段】各壁パネル４及びドア枠の下端を支持部材５により支持し、各浴室床パン３の外端縁とこれに対応する支持部材５の洗い場側端５２との間に介在させた止水空隙６を高分子ゲル材７１とコーキング剤７２とにより止水する。高分子ゲル材７１として、径方向の幅を減縮させて長手方向に伸長した状態から径方向の幅が増大して長手方向に収縮した状態に復元するものを用い、止水空隙６に対し径方向の幅を減縮させて長手方向に伸長した状態で収容すると、止水空隙６に密接するまで径方向の幅が増大して長手方向に収縮した状態に復元し、止水空隙６を密接状態でシールする。【選択図】図２
2012241354.tif 000002
【特許請求の範囲】
【請求項１】
浴室に設けられる浴室床パンの縁部と壁パネル又はドアの枠体とのいずれか一方と、他方を支持する支持部との間に介在する止水空隙を防水した状態にシールする浴室床パンの防水シール構造であって、
前記止水空隙に密接状態で収容され、径方向の幅を減縮させて長手方向に伸長した状態から径方向の幅が増大して長手方向に収縮した状態に復元する長尺な高分子ゲル材と、
前記高分子ゲル材の上側に充填され、前記止水空隙をシールするシリコン材と、
を備えていることを特徴とする浴室床パンの防水シール構造。
【請求項２】
前記高分子ゲル材としては、前記止水空隙の大きさよりも復元時の径方向の幅が大きな単一種類のものが適用されていて、前記止水空隙の大きさに応じてその都度径方向の幅を減縮させるように長手方向に伸長させて対応している請求項１に記載の浴室床パンの防水シール構造。
【請求項３】
前記高分子ゲル材としては、復元時における径方向の幅がそれぞれ異なる複数種類のものが用意されており、
その複数種類の中から前記止水空隙の大きさよりも復元時の径方向の幅の大きな高分子ゲル材が採択されている請求項１に記載の浴室床パンの防水シール構造。
【請求項４】
前記高分子ゲル材の長手方向の端部同士が、接着剤により連結されている請求項１〜請求項３のいずれか1つに記載の浴室床パンの防水シール構造。
【発明の詳細な説明】
【技術分野】
【０００１】
本発明は、浴室の床の敷設領域に敷設される浴室床パンの防水シール構造に関し、詳しくは、浴室床パンと壁パネル又はドアの枠体との間を防水した状態にシールするようにしたものに係る。
【背景技術】
【０００２】
従来より、この種浴室床パンの防水シール構造としては、浴室床パンの端縁と壁パネルの洗い場側の端縁を支持する支持部との間の止水空隙に、ひも状軟質材を嵌装するとともに、有蓋パッキンを覆設することで、止水処理を施すようにしたものが知られている（特許文献１参照）。
【先行技術文献】
【特許文献】
【０００３】
【特許文献１】特開２００６−２３３４６０号公報
【発明の概要】
【発明が解決しようとする課題】
【０００４】
ところで、浴室床パンの端縁と壁パネルの洗い場側の端縁を支持する支持部との間の止水空隙は均一なものではなく、各浴室床パン及び各壁パネルの組み付け誤差などによっては部分的に止水空間が大小さまざまなものとなる。その場合、前記従来のものでは、ひも状軟質材及び有蓋パッキンが予め規定された大きさであるため、止水空隙の大きさによっては、ひも状軟質材及び有蓋パッキンが止水空隙に収まらなかったり、止水空隙に収めても当該止水空隙に隙間が生じたりするおそれがあり、止水空隙での確実な止水効果が危惧される。
【０００５】
本発明は、かかる点に鑑みてなされたものであり、その目的とするところは、止水空隙での確実な止水効果を得ることができる浴室床パンの防水シール構造を提供することにある。
【課題を解決するための手段】
【０００６】
前記目的を達成するため、本発明では、浴室に設けられる浴室床パンの縁部と壁パネル又はドアの枠体とのいずれか一方と、他方を支持する支持部との間に介在する止水空隙を防水した状態にシールする浴室床パンの防水シール構造を前提とする。そして、前記止水空隙に密接状態で収容され、径方向の幅を減縮させて長手方向に伸長した状態から径方向の幅が増大して長手方向に収縮した状態に復元する長尺な高分子ゲル材と、前記高分子ゲル材の上側に充填され、前記止水空隙をシールするシリコン材と、を備えていることを特徴とする。
【０００７】
この特定事項により、高分子ゲル材は、浴室床パンの縁部と壁パネル又はドアの枠体とのいずれか一方と他方を支持する支持部との間の止水空隙に当該止水空隙の大きさに応じて長手方向に伸長させて径方向の幅を減縮させた状態で収容されると、この止水空隙に密接するように径方向の幅が増大し、長手方向に収縮した状態に復元する。このため、止水空隙の大きさに左右されることなく当該止水空隙が高分子ゲル材により密接状態でシールされ、高分子ゲル材による確実な止水効果が得られる。しかも、高分子ゲル材の上側に充填されたシリコン材によって止水空隙が二重にシールされる。
これにより、高分子ゲル材とシリコン材とによって止水空隙での確実な止水効果を得ることが可能となる。
【０００８】
また、前記高分子ゲル材として、前記止水空隙の大きさよりも復元時の径方向の幅が大きな単一種類のものを適用して、前記止水空隙の大きさに応じてその都度径方向の幅を減縮させるように長手方向に伸長させて対応していてもよい。
【０００９】
この場合には、止水空隙の大きさよりも復元時の径方向の幅が大きな単一種類の高分子ゲル材が用いられているので、大きさの異なるあらゆる止水空隙に対し高分子ゲル材が隙間なく密着する。
そして、高分子ゲル材は、止水空隙の大きさに応じてその都度径方向の幅を減縮させるように長手方向に伸長させて対応しているので、異なる止水空隙の大きさに応じて高分子ゲル材を長手方向に伸長させれば、あらゆる止水空隙の大きさに単一種類の高分子ゲル材の径方向の幅を合致させることが可能となる。これにより、高分子ゲル材の長手方向の端部同士の接続箇所が最小限に留められ、シール切れの発生部位を単一の高分子ゲル材の長手方向両端同士にのみとなって、止水性能の信頼性を飛躍的に拡大させることができる。
【００１０】
これに対し、前記高分子ゲル材として、復元時における径方向の幅がそれぞれ異なる複数種類のものを用意し、その複数種類の中から前記止水空隙の大きさよりも復元時の径方向の幅の大きな高分子ゲル材を採択していてもよい。
【００１１】
この場合には、異なる止水空隙の大きさに応じてその大きさよりも復元時の径方向の幅の大きな高分子ゲル材がその都度採択され、この採択された高分子ゲル材によって当該止水空隙を効率よくシールすることができる。しかも、止水空隙の大きさに応じた最適な高分子ゲル材によってシールされるので、止水空隙内で高分子ゲル材が上下方向に多大に変形してシリコン材の充填量が減少することがなく、高分子ゲル材とシリコン材との二重シールを円滑に行うことができる。
【００１２】
更に、前記高分子ゲル材の長手方向の端部同士を接着剤により連結することが好ましい。
【００１３】
この場合には、高分子ゲル材の長手方向の端部同士がシール切れすることなく接着剤により連結され、高分子ゲル材による止水効果をより確実に得ることができる。
【発明の効果】
【００１４】
以上、要するに、径方向の幅を減縮させて長手方向に伸長した状態から径方向の幅が増大して長手方向に収縮した状態に復元する長尺な高分子ゲル材と、この高分子ゲル材の上側に充填されたシリコン材とで浴室床パンの縁部と支持部との間の止水空隙をシールすることで、止水空隙の大きさに左右されることなく当該止水空隙を高分子ゲル材により密接状態でシールするとともに、この高分子ゲル材の上側のシリコン材によって止水空隙を二重にシールし、高分子ゲル材とシリコン材とによる止水空隙での確実な止水効果を得ることができる。
【図面の簡単な説明】
【００１５】
【図１】本発明の実施の形態に係る浴室床パンの防水シール構造を用いた浴室の洗い場を上方から見た平面図である。
【図２】図１のＡ−Ａ線において切断した断面図である。
【図３】図１のＢ−Ｂ線において切断した断面図である。
【図４】図１のＣ−Ｃ線において切断した断面図である。
【発明を実施するための形態】
【００１６】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１７】
図１は本発明の実施の形態に係る浴室床パンの防水シール構造を用いた浴室の洗い場を上方から見た平面図である。この図１において、１は洗い場であって、この洗い場１の床２の敷設領域には、複数枚の浴室床パン３（図１では４枚）が敷設されている。これらの浴室床パン３は、成形型により略正方形状に成形され、ＦＲＰ（繊維強化プラスチック）等の合成樹脂材よりなる。そして、各浴室床パン３は、それぞれの端縁の位置に合わせて洗い場１の床２の敷設領域に敷設された複数の支持フレーム（図示せず）に支持されている。この各支持フレームは、床２の敷設領域に対する各浴室床パン３の高さを確保するためのレベルアジャスター（図示せず）を備えている。また、互いに相隣なる浴室床パン３，３の端縁の間には、その浴室床パン３，３同士の間に敷設された支持フレームを上方から隠蔽する隠蔽カバー３１が装着されている。この各隠蔽カバー３１は、ＦＲＰなどの合成樹脂により成形され、互いに相隣なる浴室床パン３，３の端縁の間にほぼ隙間なく収容される。
【００１８】
図２は図１のＡ−Ａ線において切断した断面図であって、この図２に示すように、洗い場１の周囲のうちの一辺には、図示しない浴槽が隣接して設けられている。この浴槽及び洗い場１を含む浴室の周囲は、複数枚の壁パネル４とドア（図示せず）とによって仕切られている。前記ドアは、枠体としてのドア枠（図示せず）に対し開閉自在とされている。
【００１９】
前記各壁パネル４は、樹脂化粧鋼板４１の裏面に裏打材４２を貼り合わせて形成されている。この樹脂化粧鋼板４１の左右両端縁及びドア枠の左右両端縁には、背面側に折曲された折り曲げ部（図示せず）がそれぞれ形成されており、この両折り曲げ部が連結部材（図示せず）を介して連結されている。また、樹脂化粧鋼板４１の下端縁及びドア枠の下端縁にも、背面側に折曲された折り曲げ部４３（図２では樹脂化粧鋼板４１の折り曲げ部４３のみ示す）がそれぞれ形成されている。この場合、互いに相隣なる壁パネル４，４の樹脂化粧鋼板４１の左右両端縁同士の間、及び互いに相隣なる壁パネル４の樹脂化粧鋼板４１及びドア枠の端縁同士の間には、壁用乾式目地材（図示せず）が打ち込まれてシールされている。
【００２０】
また、前記洗い場１の周囲には、前記各壁パネル４及びドア枠の下端を支持する支持部としての支持部材５が沿設されている。この支持部材５は、その短手方向略中央部を長手方向に延び、かつ各壁パネル４及びドア枠の下端縁の折り曲げ部４３を収容する凹状溝５１を備えている。そして、各壁パネル４及びドア枠の下端縁の折り曲げ部４３は、凹状溝５１の底部にシート状のシール材４４を介して接着されている。このシール材４４よりも洗い場１側となる、凹状溝５１の洗い場１側縁と各壁パネル４及びドア枠の下端縁との間には、コーキング剤４５が充填されて当該両者間が水密状にシールされている。
【００２１】
そして、前記洗い場１の周囲側となる各浴室床パン３の外端縁と、これに対応する支持部材５の洗い場側端５２との間には、環状の止水空隙６が介在している。この止水空隙６には、断面略円形状の長尺な高分子ゲル材７１（例えばオレフィン系エラストマー）が収容されている。この高分子ゲル材７１は、径方向の幅を減縮させて長手方向に伸長した状態から径方向の幅が増大して長手方向に収縮した状態に復元するものであり、前記止水空隙６に対し径方向の幅を減縮させるように長手方向に伸長させた状態で収容されると、止水空隙６に密接するまで径方向の幅が増大して長手方向に収縮した状態に復元し、止水空隙６を密接状態でシールする。また、支持部材５の洗い場側端５２には洗い場１側（浴室床パン３側）へ突出する段部５３が設けられ、この段部５３への当接によって高分子ゲル材７１が止水空隙６内で位置決めされる。
【００２２】
前記高分子ゲル材７１としては、各浴室床パン３の外端縁の一辺に相当する長さのものが用いられている。そして、図３に示すように、高分子ゲル材７１は、その長手方向の端部同士が接着剤７３により連結されている。この接着剤７３としては、ポリオレフィンやポリプロピレンなどの難接着被着材に対し接着性を有する１液性の変性シリコン系弾性接着剤（無溶剤）が適用されている。この接着剤７３は、硬化後にゴム状弾性体となる。また、高分子ゲル材７１としては、復元時における径方向の幅がそれぞれ異なる複数種類のものが用意されている。これは、浴室床パン３及び壁パネル４の組み付け誤差などによって止水空隙６の大きさが均一ではなく、各浴室床パン３毎又は各壁パネル４毎に大小さまざまな大きさとなるからである。そのため、複数種類用意した高分子ゲル材７１の中から止水空隙６の大きさよりも復元時の径方向の幅の大きな高分子ゲル材７１がその都度採択されている。具体的には、図４に示すように、止水空隙６の大きさが小さい場合には、その小さい止水空隙６の大きさよりも復元時の径方向の幅が若干大きくなるような高分子ゲル材７１、つまり若干伸長させることによって止水空隙６の大きさよりも径方向の幅が小さくなるような高分子ゲル材７１が採択される。
【００２３】
更に、前記高分子ゲル材７１の上側には、前記止水空隙６をシールするシリコン材としてのコーキング剤７２が充填されている。
【００２４】
したがって、本実施の形態では、高分子ゲル材７１は、各浴室床パン３の外端縁とこれに対応する支持部材５の洗い場側端５２との間の止水空隙６に当該止水空隙６の大きさに応じて伸長させて径方向の幅を減縮させた状態で収容されると、この止水空隙６に密接するように径方向の幅が増大し、収縮状態に復元する。このため、止水空隙６の大きさに左右されることなく当該止水空隙６が高分子ゲル材７１により密接状態でシールされ、高分子ゲル材７１による確実な止水効果が得られる。しかも、高分子ゲル材７１の上側に充填されたコーキング剤７２によって止水空隙６が二重にシールされる。
これにより、高分子ゲル材７１とコーキング剤７２とによって止水空隙６での確実な止水効果を得ることができる。
【００２５】
また、高分子ゲル材７１として、復元時における径方向の幅がそれぞれ異なる複数種類のものが用意され、その複数種類の中から止水空隙６の大きさよりも復元時の径方向の幅の大きな高分子ゲル材７１が採択されるので、異なる止水空隙６の大きさに応じてその都度最適な高分子ゲル材７１が採択され、この採択された高分子ゲル材７１によって当該止水空隙６を効率よくシールすることができる。しかも、止水空隙６の大きさに応じた最適な高分子ゲル材７１によってシールされるので、止水空隙６内で高分子ゲル材７１が上下方向に多大に変形してコーキング剤７２の充填量が減少することがなく、高分子ゲル材７１とコーキング剤７２との二重シールを円滑に行うことができる。
【００２６】
更に、各高分子ゲル材７１の長手方向の端部同士が接着剤７３により連結されているので、各高分子ゲル材７１の端部同士がシール切れすることなく接着剤７３により連結され、高分子ゲル材７１による止水効果をより確実に得ることができる。
【００２７】
なお、本発明は、前記実施の形態に限定されるものではなく、その他種々の変形例を包含している。例えば、前記実施の形態では、各壁パネル４及びドア枠の下端を支持部材５により支持し、各浴室床パン３の外端縁とこれに対応する支持部材５の洗い場側端５２との間に介在させた止水空隙６を高分子ゲル材７１とコーキング剤７２とにより止水したが、各浴室床パンの外端縁を支持部材により支持し、各壁パネル及びドア枠の下端とこれに対応する支持部材の外端との間に介在させた止水空隙を高分子ゲル材とコーキング剤とにより止水していてもよい。
【００２８】
また、前記実施の形態では、復元時における径方向の幅がそれぞれ異なる複数種類の高分子ゲル材７１を用意したが、止水空隙の大きさよりも復元時の径方向の幅が大きな単一種類の高分子ゲル材を用意し、異なる止水空隙の大きさに応じてその都度径方向の幅を減縮させるように長手方向に伸長させて対応していてもよい。この場合には、止水空隙の大きさに応じた径方向の幅の高分子ゲル材をつなぎ合わせて止水空隙を止水する必要がなく、単一種類の高分子ゲル材を長手方向に伸長させてあらゆる止水空隙の大きさに径方向の幅を合致させることが可能となり、シール切れの発生部位を単一の高分子ゲル材の長手方向両端同士にのみ留めて、止水性能の信頼性を飛躍的に拡大させることが可能となる。
【００２９】
また、前記実施の形態では、各浴室床パン３の外端縁の一辺に相当する長さの高分子ゲル材７１を用いたが、互いに隣接する浴室床パンの外端縁同士の長さつまり洗い場１の一辺に相当する長さの高分子ゲル材が用いられていてもよい。この場合には、接着剤による高分子ゲル材の長手方向端部同士の接続箇所が少なくなる。
【００３０】
更に、前記実施の形態では、復元時における径方向の幅がそれぞれ異なる複数種類の高分子ゲル材７１を用意したが、単一種類の高分子ゲル材を用い、止水空隙の大きさに応じて径方向の幅を減縮させるように高分子ゲル材を伸長させて収容し、自身の復元力により止水空隙に密接させるようにしてもよい。この場合には、止水空隙の大きさに応じて収容される高分子ゲル材の長手方向の寸法が異なる。つまり、止水空隙の大きさが小さいほど高分子ゲル材の長手方向の寸法が短くなる一方、止水空隙の大きさが大きいほど高分子ゲル材の長手方向の寸法が長くなる。
【符号の説明】
【００３１】
１      洗い場
３      浴室床パン
４      壁パネル
５      支持部材（支持部）
６      止水空隙
７１    高分子ゲル材
７２    コーキング剤（シリコン材）
７３    接着剤
【図１】
2012241354.tif 000003
【図２】
2012241354.tif 000004
【図３】
2012241354.tif 000005
【図４】
2012241354.tif 000006